(57)【特許請求の範囲】
【請求項１】
ＣＡＴＶ網のＣＡＴＶセンタ側に配設された少なくとも１つの管理装置と、該ＣＡＴＶ網の利用者側に配設された少なくとも１つのセットトップボックスとを接続され、該セットトップボックスと協同して、予め指定された複数種類の管理情報を予め順位づけされた複数種類の識別子に対応づけて管理し、前記管理装置からの要求に応じた前記管理情報を該管理装置へ送信するケーブルモデムであって、
当該ケーブルモデムにて管理する前記管理情報を前記識別子に対応づけて記憶する管理情報記憶手段と、
前記管理装置から前記識別子を指定され、該指定識別子に次ぐ前記識別子である次位識別子に対応づけられた前記管理情報を要求されると、前記セットトップボックスにて管理されている前記管理情報に対応づけられた前記識別子の範囲として予め設定された代理範囲に前記次位識別子が含まれるか否かを判定する代理判定手段と、
該代理判定手段によって、前記次位識別子が前記代理範囲に含まれると判定された場合に、前記セットトップボックスから前記次位識別子に対応づけられた前記管理情報を取得する第１の管理情報取得手段と、
前記代理判定手段によって、前記次位識別子が前記代理範囲に含まれないと判定された場合に、前記管理情報記憶手段から前記次位識別子に対応づけられた前記管理情報を取得する第２の管理情報取得手段と、
前記第１の管理情報取得手段と前記第２の管理情報取得手段とによって取得された前記管理情報を前記管理装置へ送信する管理情報送信手段と
を備えることを特徴とするケーブルモデム。
【請求項２】
ＣＡＴＶ網のＣＡＴＶセンタ側に配設された少なくとも１つの管理装置と、該ＣＡＴＶ網の利用者側に配設された少なくとも１つのセットトップボックスとを接続され、該セットトップボックスと協同して、予め指定された複数種類の管理情報を予め順位づけされた複数種類の識別子に対応づけて管理し、前記管理装置からの要求に応じた前記管理情報を該管理装置へ送信するケーブルモデムであって、
当該ケーブルモデムにて管理する前記管理情報を前記識別子に対応づけて記憶する管理情報記憶手段と、
前記管理装置から前記識別子を指定され、該指定識別子に次ぐ前記識別子に対応づけられた前記管理情報を要求されると、前記セットトップボックスにて管理されている前記管理情報のうちで、前記指定識別子に次ぐ前記識別子である次位識別子に対応づけられた前記管理情報を前記セットトップボックスから取得する次位情報取得手段と、
該次位情報取得手段によって取得された前記管理情報に対応づけられた前記次位識別子が、前記指定識別子に次ぐ予め指定された指定順位内の前記識別子であるか否かを判定する順位判定手段と、
該順位判定手段によって、前記次位識別子が前記指定順位内の前記識別子であると判定された場合に、前記次位情報取得手段によって取得された前記管理情報を前記管理装置へ送信する第１の管理情報送信手段と、
前記順位判定手段によって、前記次位識別子が前記指定順位内の前記識別子でないと判定された場合に、前記管理情報記憶手段に記憶されている前記管理情報のうちで、前記指定識別子に次ぐ前記識別子に対応づけられた前記管理情報を前記管理情報記憶手段から取得し、取得した該管理情報を前記管理装置へ送信する第２の管理情報送信手段と
を備えることを特徴とするケーブルモデム。
【請求項３】
請求項１または請求項２に記載のケーブルモデムが搭載されていることを特徴とするセットトップボックス。
【請求項４】
ＣＡＴＶ網のＣＡＴＶセンタ側に配設された少なくとも１つの管理装置と、
該ＣＡＴＶ網の利用者側に配設された少なくとも１つのセットトップボックスと
が、少なくとも１つの請求項１または請求項２に記載のケーブルモデムに接続されることを特徴とするＣＡＴＶシステム。
【請求項５】
前記セットトップボックスには、
前記ケーブルモデムが搭載されていることを特徴とする請求項４に記載のＣＡＴＶシステム。
【請求項６】
コンピュータを請求項１に記載のケーブルモデムにおける代理判定手段と、第１の管理情報取得手段と、第２の管理情報取得手段と、管理情報送信手段として機能させるためのプログラム。
【請求項７】
コンピュータを請求項２に記載のケーブルモデムにおける次位情報取得手段と、順位判定手段と、第１の管理情報送信手段と、第２の管理情報送信手段として機能させるためのプログラム。
【発明の詳細な説明】
【技術分野】
【０００１】
本発明は、ＣＡＴＶ網のＣＡＴＶセンタ側に配設された少なくとも１つの管理装置と、該ＣＡＴＶ網の利用者側に配設された少なくとも１つのセットトップボックスとを接続されるケーブルモデムと、これに関連する技術とに関する。
【背景技術】
【０００２】
近年、ＣＡＴＶ網のＣＡＴＶセンタ側に配設された管理装置と、ＣＡＴＶ網の利用者側に配設されたセットトップボックスとを接続されるケーブルモデムが、セットトップボックスと協同して、予め指定された複数種類の管理情報を管理し、管理装置からの要求に応じた管理情報を管理装置へ送信するＣＡＴＶシステムが考案されている。
【０００３】
このようなＣＡＴＶシステムでは、ＳＮＭＰ（Simple  Network  Management  Protocol）に基づいて管理情報が管理され、階層的に順位づけされた複数種類のオブジェクトＩＤが管理情報の各々に対応づけられている。そして、管理装置は、所望の管理情報に対応づけられたオブジェクトＩＤを指定して管理情報を要求するＳＮＭＰメッセージ（ＧｅｔＲｅｑｕｅｓｔ）をケーブルモデムへ送信し、ケーブルモデムは、これに応じた管理情報を含むＳＮＭＰメッセージ（ＧｅｔＲｅｓｐｏｎｓｅ）を管理装置へ送信する。
【０００４】
より詳細には、ケーブルモデムには、セットトップボックスにて管理されている管理情報に対応づけられたオブジェクトＩＤの範囲が予め設定されている。そして、ケーブルモデムは、管理装置からＧｅｔＲｅｑｕｅｓｔを受信すると、管理装置から指定されたオブジェクトＩＤが上述の範囲に含まれるか否かを判定し、このオブジェクトＩＤが上述の範囲に含まれる場合には、このオブジェクトＩＤを指定したＧｅｔＲｅｑｕｅｓｔをセットトップボックスへ送信して、このオブジェクトＩＤに対応づけられた管理情報をセットトップボックスから取得し、取得した管理情報を管理装置へ送信する。一方、管理装置から指定されたオブジェクトＩＤが上述の範囲に含まれない場合には、このオブジェクトＩＤに対応づけられた管理情報が当該ケーブルモデムにて管理されていると判断する。そして、このオブジェクトＩＤに対応づけられた管理情報が当該ケーブルモデムにて管理されていれば、この管理情報を管理装置へ送信する。
【０００５】
ところで、このようなＣＡＴＶシステムは、本願出願時に未公開の先行出願である特願２００５−１７９５１８号の明細書に記載されている。
【発明の開示】
【発明が解決しようとする課題】
【０００６】
ここで、上述したＣＡＴＶシステムでは、管理装置側が、所望の管理情報に対応づけられたオブジェクトＩＤを厳密に指定しなければならず、管理情報の指定に手間を要するという問題点があった。特に、管理装置側が複数の管理情報を要求する場合には、複数のオブジェクトＩＤを個々に指定しなければならず、その手間が過大となってしまう。
【０００７】
そこで、このような手間を軽減するための方法の１つとして、管理装置側では、ＧｅｔＲｅｑｕｅｓｔの代わりにＧｅｔＮｅｘｔＲｅｑｕｅｓｔをケーブルモデムへ送信して、管理情報を要求することが考えられる。
【０００８】
このＧｅｔＮｅｘｔＲｅｑｕｅｓｔを用いれば、管理装置側は、始点となるオブジェクトＩＤのみを指定するだけで、このオブジェクトＩＤに次ぐオブジェクトＩＤに対応づけ
られた管理情報を取得することができる。
【０００９】
しかしながら、従来のケーブルモデムでは、受信したＧｅｔＮｅｘｔＲｅｑｕｅｓｔにて指定されたオブジェクトＩＤが上述の範囲に含まれる場合には、ＧｅｔＮｅｘｔＲｅｑｕｅｓｔをセットトップボックスへ送信し、指定されたオブジェクトＩＤに次ぐオブジェクトＩＤに対応づけられた管理情報をセットトップボックスに要求してしまう。このため、実際上は、指定されたオブジェクトＩＤに次ぐオブジェクトＩＤに対応づけられた管理情報がケーブルモデムにて管理されているにも関わらず、セットトップボックスにて管理されている管理情報を誤って取得してしまうという問題点があった。
【００１０】
そこで、本発明は、上記問題点に鑑み、管理装置側に対して、管理情報の指定に手間を掛けさせることなく、所望の管理情報を確実に取得させることを可能とするケーブルモデムと、これに関連する技術とを提供することを目的とする。
【課題を解決するための手段】
【００１１】
上記目的を達成するためになされた請求項１に記載の発明は、ＣＡＴＶ網のＣＡＴＶセンタ側に配設された少なくとも１つの管理装置と、該ＣＡＴＶ網の利用者側に配設された少なくとも１つのセットトップボックスとを接続され、該セットトップボックスと協同して、予め指定された複数種類の管理情報を予め順位づけされた複数種類の識別子に対応づけて管理し、前記管理装置からの要求に応じた前記管理情報を該管理装置へ送信するケーブルモデムであって、当該ケーブルモデムにて管理する前記管理情報を前記識別子に対応づけて記憶する管理情報記憶手段と、前記管理装置から前記識別子を指定され、該指定識別子に次ぐ前記識別子である次位識別子に対応づけられた前記管理情報を要求されると、前記セットトップボックスにて管理されている前記管理情報に対応づけられた前記識別子の範囲として予め設定された代理範囲に前記次位識別子が含まれるか否かを判定する代理判定手段と、該代理判定手段によって、前記次位識別子が前記代理範囲に含まれると判定された場合に、前記セットトップボックスから前記次位識別子に対応づけられた前記管理情報を取得する第１の管理情報取得手段と、前記代理判定手段によって、前記次位識別子が前記代理範囲に含まれないと判定された場合に、前記管理情報記憶手段から前記次位識別子に対応づけられた前記管理情報を取得する第２の管理情報取得手段と、前記第１の管理情報取得手段と前記第２の管理情報取得手段とによって取得された前記管理情報を前記管理装置へ送信する管理情報送信手段とを備えることを特徴とする。
【００１２】
但し、「指定識別子に次ぐ識別子」は、指定識別子に次ぐものであれば、指定識別子に連続している必要はない（以下同様）。
また、請求項２に記載の発明は、ＣＡＴＶ網のＣＡＴＶセンタ側に配設された少なくとも１つの管理装置と、該ＣＡＴＶ網の利用者側に配設された少なくとも１つのセットトップボックスとを接続され、該セットトップボックスと協同して、予め指定された複数種類の管理情報を予め順位づけされた複数種類の識別子に対応づけて管理し、前記管理装置からの要求に応じた前記管理情報を該管理装置へ送信するケーブルモデムであって、当該ケーブルモデムにて管理する前記管理情報を前記識別子に対応づけて記憶する管理情報記憶手段と、前記管理装置から前記識別子を指定され、該指定識別子に次ぐ前記識別子に対応づけられた前記管理情報を要求されると、前記セットトップボックスにて管理されている前記管理情報のうちで、前記指定識別子に次ぐ前記識別子である次位識別子に対応づけられた前記管理情報を前記セットトップボックスから取得する次位情報取得手段と、該次位情報取得手段によって取得された前記管理情報に対応づけられた前記次位識別子が、前記指定識別子に次ぐ予め指定された指定順位内の前記識別子であるか否かを判定する順位判定手段と、該順位判定手段によって、前記次位識別子が前記指定順位内の前記識別子であると判定された場合に、前記次位情報取得手段によって取得された前記管理情報を前記管
理装置へ送信する第１の管理情報送信手段と、前記順位判定手段によって、前記次位識別子が前記指定順位内の前記識別子でないと判定された場合に、前記管理情報記憶手段に記憶されている前記管理情報のうちで、前記指定識別子に次ぐ前記識別子に対応づけられた前記管理情報を前記管理情報記憶手段から取得し、取得した該管理情報を前記管理装置へ送信する第２の管理情報送信手段とを備えることを特徴とする。
【００１３】
また、請求項３に記載の発明は、請求項１または請求項２に記載のケーブルモデムが搭載されていることを特徴とするセットトップボックスである。
また、請求項４に記載の発明は、ＣＡＴＶ網のＣＡＴＶセンタ側に配設された少なくとも１つの管理装置と、該ＣＡＴＶ網の利用者側に配設された少なくとも１つのセットトップボックスとが、少なくとも１つの請求項１または請求項２に記載のケーブルモデムに接続されることを特徴とするＣＡＴＶシステムである。
【００１４】
また、請求項５に記載の発明は、請求項４に記載のＣＡＴＶシステムにおいて、前記セットトップボックスには、前記ケーブルモデムが搭載されていることを特徴とする。
また、請求項６に記載の発明は、コンピュータを請求項１に記載のケーブルモデムにおける代理判定手段と、第１の管理情報取得手段と、第２の管理情報取得手段と、管理情報送信手段として機能させるためのプログラムである。
【００１５】
また、請求項７に記載の発明は、コンピュータを請求項２に記載のケーブルモデムにおける次位情報取得手段と、順位判定手段と、第１の管理情報送信手段と、第２の管理情報送信手段として機能させるためのプログラムである。
【発明の効果】
【００１６】
請求項１に記載のケーブルモデムでは、管理装置から次位識別子に対応づけられた管理情報を要求されると、代理判定手段が、代理範囲に次位識別子が含まれるか否かを判定する。ここで、次位識別子が代理範囲に含まれると判定された場合には、第１の管理情報取得手段が、セットトップボックスから次位識別子に対応づけられた管理情報を取得する一方、次位識別子が代理範囲に含まれないと判定された場合には、第２の管理情報取得手段が、管理情報記憶手段から次位識別子に対応づけられた管理情報を取得する。そして、管理情報送信手段が、第１の管理情報取得手段と第２の管理情報取得手段とによって取得された管理情報を管理装置へ送信する。
【００１７】
つまり、このケーブルモデムでは、管理装置から次位識別子に対応づけられた管理情報を要求された際に、この管理情報がセットトップボックスにて管理されていれば、この管理情報をセットトップボックスから取得して管理装置へ送信する一方、セットトップボックスにて管理されていなければ、当該ケーブルモデムにて管理されている管理情報のうちで次位識別子に対応づけられた管理情報を管理装置へ送信する。
【００１８】
このため、このケーブルモデムによれば、管理装置側は、所望の管理情報に対応づけられた識別子を厳密に指定せずに、始点となる識別子のみを指定して管理情報を要求しても、確実に所望の管理情報を取得できる。
【００１９】
また、請求項２に記載のケーブルモデムでは、管理装置から指定識別子に次ぐ識別子に対応づけられた管理情報を要求されると、次位情報取得手段が、セットトップボックスにて管理されている管理情報のうちで、次位識別子に対応づけられた管理情報をセットトップボックスから取得する。そして、順位判定手段が、次位情報取得手段によって取得された管理情報に対応づけられた次位識別子が指定順位内の識別子であるか否かを判定する。
ここで、次位識別子が指定順位内の識別子であると判定された場合には、第１の管理情報送信手段が、次位情報取得手段によって取得された管理情報を管理装置へ送信する。一方、次位識別子が指定順位内の識別子でないと判定された場合には、第２の管理情報送信手段が、管理情報記憶手段に記憶されている管理情報のうちで、指定識別子に次ぐ識別子に対応づけられた管理情報を管理情報記憶手段から取得し、取得した該管理情報を管理装置へ送信する。
【００２０】
つまり、このケーブルモデムでは、管理装置から指定識別子に次ぐ識別子に対応づけられた管理情報を要求されると、まず、セットトップボックスから次位識別子に対応づけられた管理情報を取得する。そして、取得した管理情報に対応づけられた次位識別子が指定順位内の識別子であれば、セットトップボックスから取得した管理情報を管理装置へ送信する一方、指定順位内の識別子でなければ、当該ケーブルモデムにて管理されている管理情報のうちで指定識別子に次ぐ識別子に対応づけられた管理情報を管理装置へ送信する。
【００２１】
このため、このケーブルモデムでは、所望の管理情報とは異なる管理情報を管理装置へ送信することがないように指定順位を適切に設定しておけば、管理装置側は、所望の管理情報に対応づけられた識別子を厳密に指定せずに、始点となる識別子のみを指定して管理情報を要求しても、確実に所望の管理情報を取得できる。
【００２２】
また、請求項３に記載のセットトップボックスでは、請求項１または請求項２に記載のケーブルモデムが搭載されているため、ケーブルモデムとセットトップボックスとの接続に必要な各種設定を工場出荷時などに予め行っておくことができる。これにより、ＣＡＴＶ網の利用にあたってＣＡＴＶ網の利用者が行うべき各種設定を簡略化できる。
【００２３】
また、請求項４に記載のＣＡＴＶシステムでは、管理装置とセットトップボックスとが請求項１または請求項２に記載のケーブルモデムに接続されるため、管理装置側は、所望の管理情報に対応づけられた識別子を厳密に指定せずに、始点となる識別子のみを指定して管理情報を要求しても、確実に所望の管理情報を取得できる。
【００２４】
また、請求項５に記載のＣＡＴＶシステムでは、セットトップボックスに請求項１または請求項２に記載のケーブルモデムが搭載されているため、ＣＡＴＶ網の利用にあたってＣＡＴＶ網の利用者が行うべき各種設定を簡略化できる。
【００２５】
また、請求項６に記載のプログラムによれば、コンピュータを請求項１に記載のケーブルモデムにおける代理判定手段と、第１の管理情報取得手段と、第２の管理情報取得手段と、管理情報送信手段として機能させることができるため、請求項１に記載のケーブルモデムの一部をコンピュータで構成することができる。
【００２６】
また、請求項７に記載のプログラムによれば、コンピュータを請求項２に記載のケーブルモデムにおける次位情報取得手段と、順位判定手段と、第１の管理情報送信手段と、第２の管理情報送信手段として機能させることができるため、請求項２に記載のケーブルモデムの一部をコンピュータで構成することができる。
【００２７】
尚、これらプログラムは、ケーブルモデムに組み込まれるＲＯＭやバックアップＲＡＭに記録され、これらＲＯＭやバックアップＲＡＭからコンピュータにロードされて用いられてもよいし、ネットワークを介してコンピュータにロードされて用いられてもよい。
【００２８】
また、フレキシブルディスク（ＦＤ）や光ディスク（ＭＯ）、ＤＶＤ、ＣＤ−ＲＯＭ、Ｂｌｕ−Ｒａｙディスク、ＨＤ−ＤＶＤ、ハードディスク、メモリカードなどといったコンピュータにて読み取り可能な記録媒体に記録され、これら記録媒体からコンピュータに
ロードされて用いられてもよい。
【発明を実施するための最良の形態】
【００２９】
以下に本発明の実施形態を図面と共に説明する。
［第１実施形態］
まず、図１は、本発明を適用したＣＡＴＶシステム１の全体構成を示す構成ブロック図である。
【００３０】
図１に示すように、ＣＡＴＶシステム１では、ＣＡＴＶ網Ｎ１を介して、ＣＡＴＶセンタ１００と、セットトップボックス（ＳＴＢ）２００とが接続されている。
そして、ＣＡＴＶセンタ１００では、ネットワーク管理部１１０と、放送サービス管理部（所謂ヘッドエンド）１２０とが混合器１３０を介してＣＡＴＶ網Ｎ１に接続されている。
【００３１】
また、ネットワーク管理部１１０では、管理装置１０と、ＤＨＣＰサーバ２０と、ルータ３０と、ケーブルモデム終端装置（ＣＭＴＳ）４０とがハブ５０を介して相互に接続されている。
【００３２】
ここで、管理装置１０は、制御部、記憶部、通信部などからなる周知のコンピュータシステムとして構成されており、ＳＴＢ２００にて管理されている管理情報をＳＮＭＰに基づいて取得するプログラム（ＳＮＭＰマネージャ）などがインストールされている。
【００３３】
また、ＤＨＣＰサーバ２０は、制御部、記憶部、通信部などからなる周知のコンピュータシステムとして構成されており、ＤＨＣＰ（Dynamic  Host  Configuration  Protocol）に基づいて、ＳＴＢ２００にＩＰアドレスを付与するためのプログラムなどがインストールされている。
【００３４】
また、ルータ３０は、制御部、記憶部、通信部などからなる周知のルータとして構成されており、ネットワーク管理部１１０とインターネットＮ２とを双方向通信可能に接続している。
【００３５】
また、ＣＭＴＳ４０は、周知のＣＭＴＳとして構成されており、混合器１３０を介してネットワーク管理部１１０とＣＡＴＶ網Ｎ１とを双方向通信可能に接続している。
一方、ＳＴＢ２００は、ＣＡＴＶ網Ｎ１の利用者側に配設されている。そして、ＳＴＢ２００は、ケーブルモデム（ＣＭ）部２１０と、セットトップボックス（ＳＴＢ）部２２０とを内蔵している。
【００３６】
ここで、ＣＭ部２１０は、ＣＡＴＶ網Ｎ１を介してＣＡＴＶセンタ１００と接続されている。そして、ＣＭ部２１０は、制御部、記憶部、通信部などから構成されている。より詳細には、記憶部には、制御部がＣＡＴＶセンタ１００の管理装置１０から送信されてくるＳＮＭＰメッセージに応じて各種処理を行うためのプログラム（ＳＮＭＰエージェント）や、ＣＭ部２１０にて管理している管理情報をオブジェクトＩＤ（ＯＩＤ）に対応づけて記憶するデータベース（ＭＩＢ）などが記憶されている。
【００３７】
また、ＳＴＢ部２２０は、ＣＭ部２１０と、ＣＡＴＶ網の利用者側に配設されたテレビ受像器（ＴＶ）３００とに接続されている。そして、ＳＴＢ部２２０は、制御部、記憶部、通信部などから構成されている。より詳細には、記憶部には、制御部がＣＭ部２１０から送信されてくるＳＮＭＰメッセージに応じて各種処理を行うためのプログラム（ＳＮＭ
Ｐエージェント）や、ＳＴＢ部２２０にて管理している管理情報をＯＩＤに対応づけて記憶するデータベース（ＭＩＢ）などが記憶されている。
【００３８】
ところで、本実施形態のＣＭ部２１０及びＳＴＢ部２２０では、ＳＴＢ２００を介して選択されたチャネルの履歴や、選択されたチャネルにおける信号レベル、ＳＴＢ２００に至る伝送路のＳＮ比やビットエラーレートなどの品質情報、ＳＴＢ２００におけるソフトウェア（ファームウェア）のバージョンなどが管理情報として管理されている。
【００３９】
ここで、図２は、ＣＭ部２１０及びＳＴＢ２２０にて管理されている管理情報に対応づけられたＯＩＤの一例を示す説明図である。
図２に示すように、ＣＭ部２１０及びＳＴＢ部２２０では、ピリオドで区切られた数字の列からなるＯＩＤが管理情報に対応づけられている。
【００４０】
具体的には、ＣＭ部２１０では、例えば、”．１．１〜．１．ｐ（ｐは１より大きい整数）”、”．３．１〜．３．ｒ（ｒは１より大きい整数）”のＯＩＤが当該ＣＭ部２１０にて管理されている管理情報に対応づけられている。一方、ＳＴＢ部２２０では、例えば、”．２．１〜．２．ｑ（ｑは１より大きい整数）”、”．４．１〜．４．ｓ（ｓは１より大きい整数）”のＯＩＤが当該ＳＴＢ部２２０にて管理されている管理情報に対応づけられている。そして、ＣＭ部２１０では、”．２．１〜．２．ｑ”のＯＩＤが、管理装置１０からの要求に応じて当該ＣＭ部２１０がＳＴＢ部２２０から取得すべき管理情報のＯＩＤ（ｐｒｏｘｙ対象）として設定されている。尚、本実施形態では、説明を簡略化するために、ＯＩＤは、２つの数字からなっているが、３つ以上の数字からなっていてもよい。
【００４１】
以下、ＣＭ部２１０の制御部が実行する各種処理のうち、本発明に係る処理について詳述する。
ここで、図３は、ＣＭ部２１０の制御部が実行する第１管理情報送信処理の流れを示すフローチャートである。尚、ＣＭ部２１０の制御部は、ＳＴＢ２００の起動後、本処理を繰り返し実行する。
【００４２】
図３に示すように、本処理では、まず、受信したパケットを検査し（Ｓ１００）、受信したパケットがＵＤＰ（User Datagram Protocol）パケットであって、且つ、宛先ポート番号が１６１に設定されているか否かを判定することで、このパケットにＳＮＭＰメッセージが含まれているか否かを判定する（Ｓ１０５）。
【００４３】
ここで、受信したパケットにＳＮＭＰメッセージが含まれていない場合には（Ｎｏ：Ｓ１０５）、上述のＳ１００へ再度移行して、次に受信したパケットの検査を行う。
一方、受信したパケットにＳＮＭＰメッセージが含まれている場合には（Ｙｅｓ：Ｓ１０５）、このＳＮＭＰメッセージがＧｅｔＲｅｑｕｅｓｔであるか否かを判定する（Ｓ１１０）。そして、このＳＮＭＰメッセージがＧｅｔＲｅｑｕｅｓｔである場合には（Ｓ１１０：Ｙｅｓ）、このＳＮＭＰメッセージにて指定されているＯＩＤがｐｒｏｘｙ対象（つまり、ＯＩＤ＝”．２．１〜．２．ｑ”）であるか否かを判定する（Ｓ１１５）。
【００４４】
ここで、指定されているＯＩＤがｐｒｏｘｙ対象でない場合には（Ｓ１１５：Ｎｏ）、後述のＳ１３０へ移行する一方、ｐｒｏｘｙ対象である場合には（Ｓ１１５：Ｙｅｓ）、後述のＳ１３５へ移行する。
【００４５】
一方、Ｓ１１０にて、ＳＮＭＰメッセージがＧｅｔＲｅｑｕｅｓｔでない場合には（Ｓ１１０：Ｎｏ）、ＳＮＭＰメッセージがＧｅｔＮｅｘｔＲｅｑｕｅｓｔであるか否かを判定する（Ｓ１２０）。
【００４６】
ここで、ＳＮＭＰメッセージがＧｅｔＮｅｘｔＲｅｑｕｅｓｔでない場合には（Ｓ１２０：Ｎｏ）、上述のＳ１００へ再度移行する。一方、ＳＮＭＰメッセージがＧｅｔＮｅｘｔＲｅｑｕｅｓｔである場合には（Ｓ１２０：Ｙｅｓ）、ＳＮＭＰメッセージにて指定されているＯＩＤがｐｒｏｘｙ対象のＯＩＤの始点及び終点の１つ前のＯＩＤの範囲として予め設定された設定範囲（つまり、”．１．ｐ〜．２．（ｑ−１）”）内に含まれるか否かを判定する（Ｓ１２５）。つまり、これにより、ＧｅｔＮｅｘｔＲｅｑｕｅｓｔにて指定されているＯＩＤの次位のＯＩＤがｐｒｏｘｙ対象であるか否かを判定する。
【００４７】
ここで、ＧｅｔＮｅｘｔＲｅｑｕｅｓｔにて指定されているＯＩＤが設定範囲に含まれない場合には（Ｓ１２５：Ｎｏ）、予め設定された取得処理を実行する一方（Ｓ１３０）、ＯＩＤが設定範囲に含まれる場合には（Ｓ１２５：Ｙｅｓ）、予め設定されたｐｒｏｘｙ処理を実行する（Ｓ１３５）。
【００４８】
尚、取得処理では、ＳＮＭＰメッセージがＧｅｔＲｅｑｕｅｓｔである場合には、ＧｅｔＲｅｑｕｅｓｔにて指定されているＯＩＤに対応づけられた管理情報を当該ＣＭ部２１０の記憶部に設定されたＭＩＢから取得する。また、ＳＮＭＰメッセージがＧｅｔＮｅｘｔＲｅｑｕｅｓｔである場合には、ＧｅｔＮｅｘｔＲｅｑｕｅｓｔにて指定されているＯＩＤの次位のＯＩＤに対応づけられた管理情報を当該ＣＭ部２１０の記憶部に設定されたＭＩＢから取得する。
【００４９】
また、ｐｒｏｘｙ処理では、ＳＮＭＰメッセージがＧｅｔＲｅｑｕｅｓｔである場合には、このＧｅｔＲｅｑｕｅｓｔをＳＴＢ部２２０へ送信して、ＧｅｔＲｅｑｕｅｓｔにて指定されているＯＩＤに対応づけられた管理情報をＳＴＢ部２２０から取得する。また、ＳＮＭＰメッセージがＧｅｔＮｅｘｔＲｅｑｕｅｓｔである場合には、このＧｅｔＮｅｘｔＲｅｑｕｅｓｔをＳＴＢ部２２０へ送信して、ＧｅｔＮｅｘｔＲｅｑｕｅｓｔにて指定されているＯＩＤの次位のＯＩＤに対応づけられた管理情報をＳＴＢ部２２０から取得する。
【００５０】
そして、取得処理もしくはｐｒｏｘｙ処理が終了すると、取得した管理情報を含むＳＮＭＰメッセージ（ＧｅｔＲｅｓｐｏｎｓｅ）を管理装置１０へ送信して（Ｓ１４０）、上述のＳ１００へ再度移行する。
【００５１】
以上に述べたように、本実施形態のＣＡＴＶシステム１では、ＣＭ部２１０が、管理装置１０からＧｅｔＮｅｘｔＲｅｑｕｅｓｔを受信した際に、ＧｅｔＮｅｘｔＲｅｑｕｅｓｔにて指定されているＯＩＤの次位のＯＩＤに対応づけられた管理情報がＳＴＢ部２２０にて管理されていれば、この管理情報をＳＴＢ部２２０から取得して管理装置１０へ送信する一方、ＳＴＢ部２２０にて管理されていなければ、当該ＣＭ部２１０にて管理されている管理情報のうちで次位のＯＩＤに対応づけられた管理情報を管理装置１０へ送信する。
【００５２】
このため、本実施形態のＣＡＴＶシステム１によれば、管理装置１０側は、所望の管理情報に対応づけられたＯＩＤを厳密に指定せずに、始点となるＯＩＤのみを指定して管理情報を要求しても、確実に所望の管理情報を取得できる。
【００５３】
また、本実施形態のＣＡＴＶシステム１では、ＣＭ部２１０とＳＴＢ部２２０とがＳＴＢ２００の内部にて予め接続されているため、ケーブルモデムとセットトップボックスと
の接続に必要な各種設定を工場出荷時などに予め行っておくことができる。これにより、ＣＡＴＶ網の利用にあたってＣＡＴＶ網の利用者が行うべき各種設定を簡略化できる。
【００５４】
尚、本実施形態では、ＣＭ部２１０の記憶部が請求項１に記載された管理情報記憶手段に相当し、ＣＭ部２１０の制御部が実行する第１管理情報送信処理のＳ１２５が請求項１に記載された代理判定手段に相当し、同処理のＳ１３５が請求項１に記載された第１の管理情報取得手段に相当し、同処理のＳ１３０が請求項１に記載された第２の管理情報取得手段に相当し、同処理のＳ１４０が請求項１に記載された管理情報送信手段に相当する。［第２実施形態］
次に、第２実施形態について説明する。尚、本実施形態のＣＡＴＶシステムは、上述の第１管理情報送信処理に代えて後述の第２管理情報送信処理を実行するように第１実施形態のＣＭ部２１０を設定しただけで、その他については第１実施形態のＣＡＴＶシステム１と全く同様である。したがって、以下では、第２管理情報送信処理についてのみ説明する。
【００５５】
ここで、図４は、第２管理情報送信処理の流れを示すフローチャートである。尚、ＣＭ部２１０の制御部は、ＳＴＢ２００の起動後、本処理を繰り返し実行する。
図４に示すように、本処理では、まず、受信したパケットを検査して（Ｓ２００）、受信したパケットにＳＮＭＰメッセージが含まれているか否かを判定し（Ｓ２０５）、ＳＮＭＰメッセージが含まれていなければ（Ｓ２０５：Ｎｏ）、上述のＳ２００へ再度移行して、次に受信したパケットの検査を行う。
【００５６】
一方、受信したパケットにＳＮＭＰメッセージが含まれている場合には（Ｓ２０５：Ｙｅｓ）、このＳＮＭＰメッセージがＧｅｔＲｅｑｕｅｓｔであるか否かを判定し（Ｓ２１０）、ＧｅｔＲｅｑｕｅｓｔである場合には（Ｓ２１０：Ｙｅｓ）、このＳＮＭＰメッセージにて指定されているＯＩＤがｐｒｏｘｙ対象（つまり、ＯＩＤ＝”．２．１〜．２．ｑ”）であるか否かを判定する（Ｓ２１５）。
【００５７】
ここで、指定されているＯＩＤがｐｒｏｘｙ対象でない場合には（Ｓ２１５：Ｎｏ）、指定されているＯＩＤに対応づけられた管理情報を当該ＣＭ部２１０の記憶部に設定されたＭＩＢから取得し（Ｓ２２０）、後述のＳ２４５へ移行する。
【００５８】
一方、指定されているＯＩＤがｐｒｏｘｙ対象である場合には（Ｓ２１５：Ｙｅｓ）、受信したＧｅｔＲｅｑｕｅｓｔをＳＴＢ部２２０へ送信して、ＧｅｔＲｅｑｕｅｓｔにて指定されているＯＩＤに対応づけられた管理情報をＳＴＢ部２２０から取得し（Ｓ２２５）、後述のＳ２４５へ移行する。
【００５９】
一方、Ｓ２１０にて、ＳＮＭＰメッセージがＧｅｔＲｅｑｕｅｓｔでない場合には（Ｓ２１０：Ｎｏ）、ＳＮＭＰメッセージがＧｅｔＮｅｘｔＲｅｑｕｅｓｔであるか否かを判定する（Ｓ２３０）。
【００６０】
ここで、ＳＮＭＰメッセージがＧｅｔＮｅｘｔＲｅｑｕｅｓｔでない場合には（Ｓ２３０：Ｎｏ）、上述のＳ２００へ再度移行する。
一方、ＳＮＭＰメッセージがＧｅｔＮｅｘｔＲｅｑｕｅｓｔである場合には（Ｓ２３０：Ｙｅｓ）、このＧｅｔＮｅｘｔＲｅｑｕｅｓｔをＳＴＢ部２２０へ送信して、ＧｅｔＮｅｘｔＲｅｑｕｅｓｔにて指定されているＯＩＤの次位のＯＩＤに対応づけられた管理情報をＳＴＢ部２２０から取得する（Ｓ２３５）。そして、ＳＴＢ２２０から取得した管理情報に対応づけられているＯＩＤが管理装置１０から受信したＧｅｔＮｅｘｔＲｅｑｕｅ
ｓｔにて指定されていたＯＩＤに次ぐ予め指定された指定順位内のＯＩＤであるか否かを判定する（Ｓ２４０）。より具体的には、本実施形態では、ＳＴＢ部２２０から取得した管理情報に対応づけられているＯＩＤが、管理装置１０から受信したＧｅｔＮｅｘｔＲｅｑｕｅｓｔにて指定されていたＯＩＤの１つ後ろのＯＩＤである場合にのみ、指定順位内のＯＩＤであると判定する。
【００６１】
そして、ＳＴＢ部２２０から取得した管理情報に対応づけられたＯＩＤが指定順位内のＯＩＤでない場合には（Ｓ２４０：Ｎｏ）、この管理情報を破棄して、上述のＳ２２０へ移行し、管理装置１０から受信したＧｅｔＮｅｘｔＲｅｑｕｅｓｔにて指定されていたＯＩＤに次ぐＯＩＤに対応づけられた管理情報を当該ＣＭ部２１０の記憶部に設定されたＭＩＢから取得する。
【００６２】
一方、ＳＴＢ部２２０から取得した管理情報に対応づけられたＯＩＤが指定順位内のＯＩＤである場合には（Ｓ２４０：Ｙｅｓ）、取得した管理情報を含むＳＮＭＰメッセージ（ＧｅｔＲｅｓｐｏｎｓｅ）を管理装置１０へ送信し（Ｓ２４５）、上述のＳ２００へ再度移行する。
【００６３】
以上に述べたように、本実施形態のＣＡＴＶシステム１では、ＣＭ部２１０が、管理装置１０からＧｅｔＮｅｘｔＲｅｑｕｅｓｔを受信すると、まず、ＧｅｔＮｅｘｔＲｅｑｕｅｓｔにて指定されているＯＩＤの次位のＯＩＤに対応づけられた管理情報をＳＴＢ部２２０から取得する。そして、取得した管理情報に対応づけられたＯＩＤが指定順位内のＯＩＤであれば、ＳＴＢ部２２０から取得した管理情報を管理装置１０へ送信する。一方、指定順位内のＯＩＤでなければ、当該ＣＭ部２１０にて管理されている管理情報のうちで次位のＯＩＤに対応づけられた管理情報を管理装置１０へ送信する。
【００６４】
このため、本実施形態のＣＡＴＶシステム１によれば、管理装置１０側は、所望の管理情報に対応づけられたＯＩＤを厳密に指定せずに、始点となるＯＩＤのみを指定して管理情報を要求しても、確実に所望の管理情報を取得できる。
【００６５】
尚、本実施形態では、ＣＭ部２１０の記憶部が請求項２に記載された管理情報記憶手段に相当し、ＣＭ部２１０の制御部が実行する第２管理情報送信処理のＳ２４０が請求項２に記載された順位判定手段に相当し、同処理のＳ２４０，Ｓ２４５が請求項２に記載された第１の管理情報送信手段に相当し、同処理のＳ２２０，Ｓ２４０，Ｓ２４５が請求項２に記載された第２の管理情報送信手段に相当する。
【００６６】
以上、本発明の実施の形態について説明したが、本発明は、上記実施形態に何ら限定されることはなく、本発明の技術的範囲に属する限り種々の形態をとり得ることはいうまでもない。
【００６７】
例えば、上記実施形態のＣＡＴＶシステムはいずれも、管理装置１０及びＳＴＢ２００をそれぞれ１つ備えていたが、これらを複数備えてもよい。
また、上記実施形態のＣＡＴＶシステムではいずれも、ＳＴＢ２００にＣＭ部２１０が内蔵されていたが、ＣＭ部２１０が別体となっていてもよい。
【図面の簡単な説明】
【００６８】
【図１】本発明を適用したＣＡＴＶシステム１の全体構成を示す構成ブロック図である。
【図２】ＣＭ部２１０及びＳＴＢ２２０にて管理されている管理情報に対応づけられたＯＩＤの一例を示す説明図である。
【図３】第１管理情報送信処理の流れを示すフローチャートである。
【図４】第２管理情報送信処理の流れを示すフローチャートである。
【符号の説明】
【００６９】
１…ＣＡＴＶシステム、１０…管理装置、２０…ＤＨＣＰサーバ、３０…ルータ、４０…ＣＭＴＳ、５０…ハブ、１００…ＣＡＴＶセンタ、１１０…ネットワーク管理部、１２０…放送サービス管理部、１３０…混合器、２１０…ＣＭ部、２２０…ＳＴＢ部、３００…ＴＶ、Ｎ１…ＣＡＴＶ網、Ｎ２…インターネット。
【図１】
0004842685.tif 000002
【図２】
0004842685.tif 000003
【図３】
0004842685.tif 000004
【図４】
0004842685.tif 000005